(57)【要約】【課題】工場製品として鉄骨梁と一体に搬入することができ、構造が簡単で設置も容易な上に横座屈防止効果が高く、信頼性の高い鉄骨梁の横座屈防止構造を提供する。【解決手段】鉄骨梁３２に所定間隔で横座屈防止プレート３４を取り付けた鉄骨梁の横座屈防止構造に関し、横座屈防止プレート３４は、鉄骨梁３２の片側の上下フランジ３６、３８間に予め一体的に取り付けられるとともに、横座屈防止プレート３４の上端部に上フランジ３６を避けて上フランジ３６の上面よりも上方に突出された補強鉄筋定着部４２が一体に形成され、この補強鉄筋定着部４２が床スラブ５２の補強鉄筋４４と定着された状態で床スラブ５２内に埋設される。【選択図】        図１
2004218321.tif 000002
【特許請求の範囲】
【請求項１】
鉄骨梁に所定間隔で横座屈防止プレートを取り付けた鉄骨梁の横座屈防止構造であって、
前記横座屈防止プレートは、前記鉄骨梁の少なくとも片側の上下フランジ間に予め一体的に取り付けられると共に、前記横座屈防止プレートの上端部に前記上フランジをさけて前記上フランジの上面よりも上方に突出された補強鉄筋定着部が一体に形成され、この補強鉄筋定着部が床スラブの補強鉄筋と定着された状態で前記床スラブ内に埋設されることを特徴とする鉄骨梁の横座屈防止構造。
【請求項２】
請求項１において、
前記補強鉄筋定着部には、前記補強鉄筋を挿通させる複数の補強鉄筋挿通孔が形成されていることを特徴とする鉄骨梁の横座屈防止構造。
【請求項３】
請求項１において、
前記補強鉄筋定着部には、前記補強鉄筋を設置する複数の補強鉄筋設置凹部が形成されていることを特徴とする鉄骨梁の横座屈防止構造。
【請求項４】
請求項１〜３のいずれかに記載の鉄骨梁の横座屈防止構造の施工方法であって、
予め所定間隔で前記横座屈防止プレートを一体的に取り付けた鉄骨梁を柱上に設置する工程と、
前記横座屈防止プレートの補強鉄筋定着部を上方に突出させた状態で前記鉄骨梁上に床スラブ用の型枠を設置する工程と、
前記型枠より上方に突出した前記補強鉄筋定着部に複数の補強鉄筋を挿通または設置する工程と、
前記型枠上にコンクリートを打設して前記補強鉄筋定着部を補強鉄筋と定着させ、かつ、埋設させた状態で床スラブを形成する工程と、
を含むことを特徴とする鉄骨梁の横座屈防止構造の施工方法。
【発明の詳細な説明】
【０００１】
【発明の属する技術分野】
本発明は、鉄骨梁の横座屈防止構造及びその施工方法に関し、特に、横座屈防止鉄骨を用いることなく鉄骨梁の横座屈を防止することができる鉄骨梁の横座屈防止構造及びその施工方法に関する。
【０００２】
【背景技術】
一般に、鉄骨梁に作用する曲げモーメントが一定値を超えると、鉄骨梁が横方向に撓み、ねじりを伴う横座屈が生じる。
【０００３】
このため、通常、鉄骨梁間に座屈防止鉄骨を設け、鉄骨梁の横座屈を防止するようにしていた。
【０００４】
しかし、この座屈防止鉄骨の搬入、設置には、多大な手間と時間を要し、工期が長くなるという問題があった。
【０００５】
そこで、図６に示すように、鉄骨大梁１０にスチフナー１２をそれぞれ上下フランジ及びウェブにわたって配設することで、鉄骨大梁１０を補剛し、部材耐力及び変形性能を増大させ、鉄骨大梁１０の横座屈を防止する提案がなされている（特許文献１参照）。
【０００６】
また、図７に示すように、接合プレート１４に、床スラブ１６より下方に位置する水平繋ぎ材１８と水平繋ぎ材１８より下方に位置する斜材２０の各一端を連結して、全体として三角形状の横座屈防止ユニット２２を構成し、この横座屈防止ユニット２２を鉄骨梁２４と床スラブ１６との間に設置することで、鉄骨梁２４の横座屈を防止するような提案もなされている（特許文献２参照）。
【０００７】
【特許文献１】
特開平９−２５６４５９号公報
【特許文献２】
特許第３１６９０８７号公報
【０００８】
【発明が解決しようとする課題】
前述の図６の鉄骨梁の横座屈防止構造にあっては、鉄骨大梁１０にスチフナー１２が取り付けられているものの、スチフナー１２から床スラブ２６への力の伝達がなされておらず、鉄骨大梁１０に曲げモーメントが作用すると、床スラブ２６に対して鉄骨大梁１０が横滑りを起こし、横座屈防止効果の信頼性に乏しいという問題がある。
【０００９】
また、図７の鉄骨梁の横座屈防止構造にあっては、横座屈防止ユニット２２が接合プレート１４、水平繋ぎ材１８及び斜材２０等からなり、構造が複雑であり、しかも、水平繋ぎ材１８や斜材２０は、鉄骨梁２４に対してボルトで接合されるようになっているため、横座屈防止ユニット２２の設置が容易でなく、施工性が悪い上に、さらに、横座屈防止ユニット２２は鉄骨梁２４とは別体とされており、現場で取り付けを行わなければならず、これらを工場製品として一体のものとして搬入することができないという問題がある。
【００１０】
本発明の目的は、工場製品として鉄骨梁と一体に搬入することができ、構造が簡単で設置も容易な上に横座屈防止効果が高く、信頼性の高い鉄骨梁の横座屈防止構造及びその施工方法を提供することにある。
【００１１】
【課題を解決するための手段】
前記目的を達成するため、本発明の鉄骨梁の横座屈防止構造は、鉄骨梁に所定間隔で横座屈防止プレートを取り付けた鉄骨梁の横座屈防止構造であって、
前記横座屈防止プレートは、前記鉄骨梁の少なくとも片側の上下フランジ間に予め一体的に取り付けられると共に、前記横座屈防止プレートの上端部に前記上フランジをさけて前記上フランジの上面よりも上方に突出された補強鉄筋定着部が一体に形成され、この補強鉄筋定着部が床スラブの補強鉄筋と定着された状態で前記床スラブ内に埋設されることを特徴とする。
【００１２】
本発明によれば、横座屈防止プレートは鉄骨梁に予め一体的に取り付けられるため、鉄骨梁と一体に工場製品として搬入することができ、鉄骨梁を設置すれば同時に横座屈防止プレートも設置されることとなり、設置が容易で、工期短縮を図ることができ、しかも、横座屈防止プレートの補強鉄筋定着部が横スラブの補強鉄筋と定着されるため、横座屈防止プレートから床スラブへの力の伝達が確実に行われ、横座屈防止効果の大きな信頼性の高い、かつ、施工性のよいものとすることができる。
【００１３】
本発明においては、前記補強鉄筋定着部には、前記補強鉄筋を挿通させる複数の補強鉄筋挿通孔を形成することができる。
【００１４】
このような構成とすることにより、横座屈防止プレートと補強鉄筋との連結、定着を確実に行うことができる。
【００１５】
また、本発明においては、前記補強鉄筋定着部には、前記補強鉄筋を設置する複数の補強鉄筋設置凹部を形成することができる。
【００１６】
このような構成とすることにより、補強鉄筋設置凹部に補強鉄筋を設置するだけでよく、施工性を向上させることができる。
【００１７】
本発明の鉄骨梁の横座屈防止構造の施工方法は、前述のいずれかの鉄骨梁の横座屈防止構造の施工方法であって、
予め所定間隔で前記横座屈防止プレートを一体的に取り付けた鉄骨梁を柱上に設置する工程と、
前記横座屈防止プレートの補強鉄筋定着部を上方に突出させた状態で前記鉄骨梁上に床スラブ用の型枠を設置する工程と、
前記型枠より上方に突出した前記補強鉄筋定着部に複数の補強鉄筋を挿通または設置する工程と、
前記型枠上にコンクリートを打設して前記補強鉄筋定着部を補強鉄筋と定着させ、かつ、埋設させた状態で床スラブを形成する工程と、
を含むことを特徴とする。
【００１８】
本発明によれば、鉄骨梁を柱上に設置すれば同時に横座屈防止プレートも設置され、横座屈防止プレートの補強鉄筋定着部を上方に突出させた状態で鉄骨梁上に床スラブ用の型枠を設置し、型枠より上方に突出した補強鉄筋定着部に複数の補強鉄筋を挿通または設置した後、型枠上にコンクリートを打設すれば、補強鉄筋定着部を補強鉄筋と定着させ、かつ、埋設させた状態で床スラブを形成することができ、施工性を向上させることができ、工期短縮を図ることができる。
【００１９】
【発明の実施の形態】
以下、本発明の実施の形態について、図面を参照して説明する。
【００２０】
図１〜図３は、本発明の一実施の形態に係る鉄骨梁の横座屈防止構造を示す図である。
【００２１】
図３は、鉄骨梁を設置した状態の平面図を示しており、立設した柱３０上に鉄骨梁３２が掛け渡されており、この平行な一対の鉄骨梁３２には、図中三角マークで示すように、所定間隔で横座屈防止プレート３４（図１、図２参照）を取り付けて鉄骨梁３２の横座屈防止構造を構成するようになっている。
【００２２】
この横座屈防止プレート３４は、図１に示すように、鉄骨梁３２の片側の上下フランジ３６、３８間でウェブ４０に沿って上下方向に溶着等により予め一体的に取り付けられるようになっている。
【００２３】
また、横座屈防止プレート３４の上端部には、上フランジ３６を避けて上フランジ３６の上面よりも上方に突出された補強鉄筋定着部４２が一体に形成されている。
【００２４】
この補強鉄筋定着部４２には、補強鉄筋４４を挿通させる複数、例えば３つの補強鉄筋挿通孔４６が形成されている。
【００２５】
この横座屈防止プレート３４の反対側の上下フランジ３６、３８間には、補強プレート４８が溶着等により予め一体的に取り付けられている。
【００２６】
また、鉄骨梁３２の上フランジ３６上面には、所定間隔でスタッドボルト５０が取り付けられている。
【００２７】
そして、横座屈防止プレート３４の補強鉄筋定着部４２の補強鉄筋挿通孔４６に床スラブ５２の補強鉄筋４４を挿通して、補強鉄筋定着部４２が床スラブ５２の補強鉄筋４４と定着された状態で、床スラブ５２内に埋設された状態となっている。
【００２８】
次に、このような鉄骨梁３２の横座屈防止構造の施工方法について説明する。
【００２９】
まず、予め鉄骨梁３２に対し所定間隔で横座屈防止プレート３４を一体的に取り付けておく。
【００３０】
この場合、横座屈防止プレート３４の反対側には、補強プレート４８を一体的に取り付けておく。
【００３１】
このように、横座屈防止プレート３４を予め工場段階で一体的に取り付けて施工現場に搬入すればよく、現場施工の手間を省略でき、しかも、搬入も容易となる。
【００３２】
次に、施工現場において、所定位置に柱３０を立設し、この柱３０上に鉄骨梁３２を設置する。
【００３３】
この状態で、横座屈防止プレート３４の補強鉄筋定着部４２が鉄骨梁３２の上フランジ３６上面より上方に突出した状態となっている。
【００３４】
次に、横座屈防止プレート３４の補強鉄筋定着部４２を上方に突出させた状態で鉄骨梁３２上に床スラブ５２用の型枠５４を設置する。
【００３５】
この場合、型枠５４の補強鉄筋定着部４２対応位置に補強鉄筋定着部４２を突出させるための挿通孔５６を形成しておき、そこから補強鉄筋定着部４２を上方に突出させる。
【００３６】
次いで、型枠５４上にスラブ下端筋５８を設置し、さらにその上に補強鉄筋４４を設置し、この補強鉄筋４４を補強鉄筋定着部４２の補強鉄筋挿通孔４６に挿通させ、さらにその上にスラブ上端筋６０を設置する。
【００３７】
次に、型枠５４上にコンクリートを打設して、補強鉄筋定着部４２を補強鉄筋４４と定着させ、かつ、埋設させた状態で床スラブ５２を形成する。
【００３８】
このように、柱３０上に鉄骨梁３２を設置すれば、同時に横座屈防止プレート３４も設置されることとなり、設置が容易で、しかも、横座屈防止プレート３４の補強鉄筋定着部４２が床スラブ５２の補強鉄筋４４と定着されるため、横座屈防止プレート３４から床スラブ５２への力の伝達が確実に行われ、横座屈防止効果の大きな信頼性の高い、かつ、施工性のよいものとすることができる。
【００３９】
図４には、本発明の他の実施の形態に係る鉄骨梁の横座屈防止構造を示す。
【００４０】
この実施の形態では、鉄骨梁３２の両側のフランジ間３６、３８にそれぞれ横座屈防止プレート３４を予め一体的に取り付け、これら各横座屈防止プレート３４の補強鉄筋定着部４２に形成した補強鉄筋挿通孔４６に補強鉄筋４４を挿通させて各補強鉄筋定着部４２を床スラブ５２の補強鉄筋４４と定着させた状態で、床スラブ５２内に埋設一体化するようにしている。
【００４１】
これによって、鉄骨梁３２の両側で補強鉄筋定着部４２と補強鉄筋４４とを定着させて、より一層横座屈防止効果を高めることができる。
【００４２】
他の構成及び作用は、前記実施の形態と同様につき説明を省略する。
【００４３】
図５には、本発明のさらに他の実施の形態に係る鉄骨梁の横座屈防止構造を示す。
【００４４】
この実施の形態では、鉄骨梁３２の片側の上下フランジ３６、３８間に横座屈防止プレート３４を予め一体に取り付け、その反対側の上下フランジ３６、３８間に補強プレート４８を予め一体に取り付けるとともに、横座屈防止プレート３４の補強鉄筋定着部４２の上端に形成された複数の補強鉄筋設置凹部６２に補強鉄筋４４を設置し、この補強鉄筋定着部４２を床スラブ５２の補強鉄筋４４と定着させた状態で床スラブ５２内に埋設させる状態となっている。
【００４５】
この場合、補強鉄筋４４は補強鉄筋設置凹部６２上に載置するだけでよく、より施工性を向上させることができる。
【００４６】
他の構成及び作用は、前記各実施の形態と同様につき説明を省略する。
【００４７】
本発明は、前記各実施の形態に限定されるものではなく、本発明の要旨の範囲内において種々の形態に変形可能である。
【００４８】
例えば、前記実施の形態では、床スラブ用の型枠を床スラブ形成後に取り外すことなくそのまま用いるようにしているが、この例に限らず、床スラブ形成後に型枠を取り外すようにすることも可能である。
【００４９】
また、横座屈防止プレートは、図５の実施の形態においても、両側の鉄骨梁の両側の上下フランジ間に予め一体的に取り付けるようにすることも可能である。
【図面の簡単な説明】
【図１】本発明の一実施の形態に係る鉄骨梁の横座屈防止構造を示す断面図である。
【図２】図１の型枠の設置状態を示す平面図である。
【図３】鉄骨梁における横座屈防止プレートの取り付け位置を示す平面図である。
【図４】本発明の他の実施の形態に係る鉄骨梁の横座屈防止構造を示す正面図である。
【図５】本発明のさらに他の実施の形態に係る鉄骨梁の横座屈防止構造を示す正面図である。
【図６】背景技術における鉄骨梁の横座屈防止構造の一例を示す断面図である。
【図７】背景技術における他の鉄骨梁の横座屈防止構造を示す断面図である。
【符号の説明】
３０  柱
３２  鉄骨梁
３４  横座屈防止プレート
３６  上フランジ
３８  下フランジ
４２  補強鉄筋定着部
４４  補強鉄筋
４６  補強鉄筋挿通孔
５２  床スラブ
５４  型枠
６２  補強鉄筋設置凹部
【図１】
2004218321.tif 000003
【図２】
2004218321.tif 000004
【図３】
2004218321.tif 000005
【図４】
2004218321.tif 000006
【図５】
2004218321.tif 000007
【図６】
2004218321.tif 000008
【図７】
2004218321.tif 000009